(57)【要約】【課題】電子機器装置において、組み立て性に優れたものにする。【解決手段】電子機器装置である光ディスク再生装置１は、表示ユニット３がヒンジユニット４を介して本体ユニット２に取付けられ、表示ユニット３と本体ユニット２とが電気配線８ａ〜８ｃを介して電気的に接続されている。本体ユニット２は、制御基板２１と、本体ケース２３と、ヒンジ結合部２４とを有し、制御基板２１には、コネクタ２７ａ〜２７ｃが設けられている。ヒンジ結合部２４及びコネクタ２７ａ〜２７ｃは、本体ユニット２に形成された収納部２５内に配置されており、収納部２５は、本体ケース２３の外側に向けて開口している。本体ユニット２を組み立てた状態で、ヒンジユニット４の本体側結合部４２及び電気配線８ａ〜８ｃが収納部２５内に収納されて、本体側結合部４２がヒンジ結合部２４に結合されると共に、電気配線８ａ〜８ｃがコネクタ２７ａ〜２７ｃに接続される。【選択図】図１
2011170809.tif 000002
【特許請求の範囲】
【請求項１】
画像を表示するための表示ユニットがヒンジユニットを介して本体ユニットに取付けられると共に、前記表示ユニットと前記本体ユニットとが電気配線を介して電気的に接続される電子機器装置において、
前記ヒンジユニットは、前記表示ユニットに結合される表示側結合部と、前記本体ユニットに結合される本体側結合部と、前記表示側結合部と前記本体側結合部とを回動可能に連結したヒンジ機構部とを有し、
前記本体ユニットは、制御基板と、前記制御基板を収納する本体ケースと、前記ヒンジユニットの本体側結合部が結合されるヒンジ結合部とを有し、
前記本体ケースは、該本体ケースの下側部分を占める下ケースと、該本体ケースの上側部分を占める、前記下ケースに結合される上ケースとを有し、
前記制御基板には、前記電気配線が接続されるコネクタが設けられており、
前記電気配線は、前記ヒンジユニットの内部に通されて、前記コネクタに接続され、
前記本体ユニットには、前記ヒンジユニットの本体側結合部及び前記電気配線が収納される収納部が形成されており、この収納部は、前記本体ケースにおける周囲の部分より内側に窪み、前記本体ケースの外側に向けて開口しており、
前記収納部内に、前記ヒンジ結合部及び前記コネクタが配置されており、
前記収納部は、前記本体ケースの上ケースと下ケースとを結合した状態で、前記ヒンジユニットの本体側結合部を前記本体ケースの外側から収納して前記ヒンジ結合部に結合し得るように開口していると共に、前記ヒンジ結合部の配置されている位置から前記コネクタの配置されている位置に亘って連続して開口しており、
前記本体ケースに装着されて、前記ヒンジユニットの表示側結合部及びヒンジ機構部を前記本体ケースの外部に位置させた状態で前記収納部を塞ぐカバーを備える、
ことを特徴とする電子機器装置。
【請求項２】
前記回路基板には、前記コネクタが複数個設けられており、
前記電気配線は、前記複数個のコネクタに接続され、
前記複数個のコネクタは、それらの長手方向が同じ方向になるように配置されている、
ことを特徴とする請求項１に記載の電子機器装置。
【請求項３】
前記本体ユニットは、光ディスクから記録データを読取る光ディスク読取ユニットをさらに備え、
前記本体ケースは、前記制御基板と共に、前記光ディスク読取ユニットを収納し、
前記表示ユニットは、前記光ディスク読取ユニットにより光ディスクから読取った記録データに基く画像を表示する、
ことを特徴とする請求項１に記載の電子機器装置。
【発明の詳細な説明】
【技術分野】
【０００１】
本発明は、画像を表示する機能を備える電子機器装置に関するものである。
【背景技術】
【０００２】
従来から、画像を表示する機能を備える電子機器装置において、画像を表示するための表示ユニットがヒンジユニットを介して本体ユニットに取付けられ、表示ユニットが本体ユニットに対して回動可能になっていると共に、表示ユニットと本体ユニットとが電気配線を介して電気的に接続されているものがある。
【０００３】
このような電子機器装置では、一般的に、本体ユニットは、本体ケースに制御基板を収納しており、本体ケースは、相互に結合される上ケースと下ケースとにより構成されている。そして、ヒンジユニットは、本体ユニットとの結合において、本体ケース（上ケース又は下ケース）の内面に設けられたヒンジ結合部に、本体ケースの内面側からネジ止め等によって結合するようになっている。すなわち、ヒンジユニットは、本体ケースの上ケースと下ケースとが結合された状態では、本体ユニットに結合することができず、本体ケースの上ケースと下ケースとが分離された状態でのみ、本体ユニットに結合できるようになっている。また、電気配線は、ヒンジユニットの内部に通されており、本体ユニットとの接続において、制御基板に設けられたコネクタに接続するようになっている。すなわち、電気配線は、本体ケースの上ケースと下ケースとが分離された状態で、ヒンジユニットを本体ユニットに結合するときに、制御基板のコネクタに接続するようになっている。
【０００４】
従って、従来の電子機器装置においては、本体ケースの上ケースと下ケースとを結合する前（すなわち、本体ユニットを組み立てる前）に、ヒンジユニットを本体ケース（上ケース又は下ケース）の内側からヒンジ結合部に結合すると共に、電気配線を制御基板のコネクタに接続し、その後、本体ケースの上ケースと下ケースとを結合して、電子機器装置を組み立てるようになっている。
【０００５】
一方、電気配線を通す開口部に配設した保護壁により、電気配線の複雑な屈曲をなくすと共に、第１の可動部及び第２の可動部により、開口部を見えなくするようにした電子機器装置が知られている（例えば特許文献１参照）。また、電気配線を開口部を通してコネクタに接続し、電気配線及び開口部をケーブルカバーにより覆うようにした電子機器装置が知られている（例えば特許文献２参照）。また、電気配線をコネクタに接続するときに指先あるいは工具を差し入れるための開口部と、この開口部を塞ぐカバーとを備える電子機器装置が知られている（例えば特許文献３参照）。また、電気配線を通すためのスリットと、このスリットを覆うゴム系の緩衝材からなるラバーとを備える電子機器装置が知られている（例えば特許文献４参照）。また、表示ユニットと本体ユニットとを光コネクタで接続するようにした電子機器装置が知られている（例えば特許文献５参照）。
【先行技術文献】
【特許文献】
【０００６】
【特許文献１】特開平５−２６５５９２号公報
【特許文献２】特開平５−２９７９８１号公報
【特許文献３】特開平１０−２６８９７６号公報
【特許文献４】特許第４３６３３８１号公報
【特許文献５】特許第３５１７１９２号公報
【発明の概要】
【発明が解決しようとする課題】
【０００７】
しかしながら、上述した従来の電子機器装置においては、電子機器装置を組み立てるとき、本体ケースの上ケースと下ケースとを結合する前に、ヒンジユニットを本体ケースの内側からヒンジ結合部に結合すると共に、電気配線を制御基板のコネクタに接続し、その後、本体ケースの上ケースと下ケースとを結合しなければならないため、組み立て性が悪い。しかも、組み立ての難易度が高く、傷や不具合が発生し易い。また、ヒンジユニットを本体ケースに結合するときに、本体ケースを反転させたり、傾けたりする必要があり、専用の台や治具が必要である。なお、上述した特許文献１乃至特許文献５に開示の内容を適用したとしても、上記の問題を解決することはできない。
【０００８】
本発明は、上記課題を解決するためになされたものであり、組み立て性に優れた電子機器装置を提供することを目的とする。
【課題を解決するための手段】
【０００９】
上記目的を達成するために請求項１の発明は、画像を表示するための表示ユニットがヒンジユニットを介して本体ユニットに取付けられると共に、表示ユニットと本体ユニットとが電気配線を介して電気的に接続される電子機器装置において、ヒンジユニットは、表示ユニットに結合される表示側結合部と、本体ユニットに結合される本体側結合部と、表示側結合部と本体側結合部とを回動可能に連結したヒンジ機構部とを有し、本体ユニットは、制御基板と、制御基板を収納する本体ケースと、ヒンジユニットの本体側結合部が結合されるヒンジ結合部とを有し、本体ケースは、該本体ケースの下側部分を占める下ケースと、該本体ケースの上側部分を占める、下ケースに結合される上ケースとを有し、制御基板には、電気配線が接続されるコネクタが設けられており、電気配線は、ヒンジユニットの内部に通されて、コネクタに接続され、本体ユニットには、ヒンジユニットの本体側結合部及び電気配線が収納される収納部が形成されており、この収納部は、本体ケースにおける周囲の部分より内側に窪み、本体ケースの外側に向けて開口しており、収納部内に、ヒンジ結合部及びコネクタが配置されており、収納部は、本体ケースの上ケースと下ケースとを結合した状態で、ヒンジユニットの本体側結合部を本体ケースの外側から収納してヒンジ結合部に結合し得るように開口していると共に、ヒンジ結合部の配置されている位置からコネクタの配置されている位置に亘って連続して開口しており、本体ケースに装着されて、ヒンジユニットの表示側結合部及びヒンジ機構部を本体ケースの外部に位置させた状態で収納部を塞ぐカバーを備えるものである。
【００１０】
請求項２の発明は、請求項１に記載の電子機器装置において、回路基板には、コネクタが複数個設けられており、電気配線は、複数個のコネクタに接続され、複数個のコネクタは、それらの長手方向が同じ方向になるように配置されているものである。
【００１１】
請求項３の発明は、請求項１に記載の電子機器装置において、本体ユニットは、光ディスクから記録データを読取る光ディスク読取ユニットをさらに備え、本体ケースは、制御基板と共に、光ディスク読取ユニットを収納し、表示ユニットは、光ディスク読取ユニットにより光ディスクから読取った記録データに基く画像を表示するものである。
【発明の効果】
【００１２】
請求項１の発明によれば、本体ケースの上ケースと下ケースとを結合した状態（本体ユニットを組み立てた状態）で、ヒンジユニットの本体側結合部を本体ケースの外側から収納部に収納してヒンジ結合部に結合することができると共に、ヒンジユニットの内部に通された電気配線を制御基板に接続することができる。従って、電子機器装置を組み立てるとき、本体ユニットを組み立てた状態（本体ケースの上ケースと下ケースとを結合した状態）で、ヒンジユニットを本体ユニットに結合することができると共に、ヒンジユニットの内部に通された電気配線を本体ユニットに接続することができ、組み立て性を優れたものにすることができる。しかも、収納部は、本体ケースにおける周囲の部分より内側に窪んだ部分であり、このような収納部に、ヒンジユニットの本体側結合部及び電気配線が収納された状態となるため、電子機器装置の薄型化を保つことができる。また、容易に組み立てることができ、傷や不具合の発生を抑えることができる。また、ヒンジユニットを本体ユニットに結合するときや電気配線を本体ユニットに接続するときに、本体ユニットを反転させたり、傾けたりする必要がなく、専用の台や治具が不要となる。
【００１３】
請求項２の発明によれば、収納部の大きさを小さくすることができるので、本体ケースの強度を強くすることができる。また、収納部の大きさを小さくすることができることにより、カバーを小さくすることができ、デザイン性を優れたものにすることができる。
【００１４】
請求項３の発明によれば、光ディスクから読取った記録データに基く画像を表示する装置において、請求項１と同様の効果が得られる。
【図面の簡単な説明】
【００１５】
【図１】（ａ）は本発明の一実施形態に係る光ディスク再生装置の概略構成を示す斜視図、（ｂ）は同光ディスク再生装置の分解斜視図。
【図２】（ａ）は同光ディスク再生装置の平面図、（ｂ）は（ａ）のＡ−Ａ線断面図。
【発明を実施するための形態】
【００１６】
以下、本発明を具体化した実施形態による電子機器装置について図面を参照して説明する。図１（ａ）（ｂ）、図２（ａ）（ｂ）は、本実施形態による電子機器装置である光ディスク再生装置の構成を示す。光ディスク再生装置１は、例えばＤＶＤやＢＤ等の光ディスクから画像を再生する装置である。この光ディスク再生装置１は、携帯型のものである。
【００１７】
光ディスク再生装置１は、本体ユニット２と、表示ユニット３と、ヒンジユニット４とを備えており、表示ユニット３がヒンジユニット４を介して本体ユニット２に取付けられている。また、光ディスク再生装置１は、カバー５と、内蓋６と、電池パック７等を備えている。また、光ディスク再生装置１は、電気配線８ａ、８ｂ、８ｃを備えており、表示ユニット３と本体ユニット２とが電気配線８ａ、８ｂ、８ｃを介して電気的に接続されている。
【００１８】
ヒンジユニット４は、表示ユニット３に結合される表示側結合部４１と、本体ユニット２に結合される本体側結合部４２と、表示側結合部４１と本体側結合部４２とを相対的に回動可能に連結したヒンジ機構部４３等を有している。このヒンジユニット４は、２軸スイーベルヒンジと呼ばれるヒンジユニットであり、ヒンジ機構部４３は、表示側結合部４１と本体側結合部４２とを相対的に２軸に回動可能に連結している。
【００１９】
光ディスク再生装置１は、ヒンジユニット４の表示側結合部４１が表示ユニット３に結合され、ヒンジユニット４の本体側結合部４２が本体ユニット２に結合されていることにより、表示ユニット３が本体ユニット２に対して２軸に回動可能になっている。表示側結合部４１は、表示ユニット３の下端部の中央に結合され、本体側結合部４２は、本体ユニット２の後端部の中央に結合されている。すなわち、表示ユニット３は、ヒンジ機構部４３を通って（本体ユニット２の後端部の中央を通って）本体ユニット２の上面に垂直な方向を第１の回動中心軸（図中Ｃ１）として、本体ユニット２に対して回動可能になっていると共に、ヒンジ機構部４３を通って表示ユニット３の下端と平行な方向を第２の回動中心軸（図中Ｃ２）として、本体ユニット２に対して回動可能になっている。光ディスク再生装置１を携帯して持ち運ぶときには、表示ユニット３が本体ユニット２の上面に重なる形態にされる。
【００２０】
本体ユニット２は、光ディスク再生装置１の動作を制御する制御基板２１と、光ディスクから記録データを読取る光ディスク読取ユニット２２と、制御基板２１及び光ディスク読取ユニット２２を収納する本体ケース２３と、ヒンジユニット４の本体結合部４２が結合されるヒンジ結合部２４等を有する。また、本体ユニット２には、ヒンジユニット４の本体側結合部４２及び電気配線８ａ、８ｂ、８ｃが収納される収納部２５が形成されている。本体ケース２３は、本体ケース２３の下側部分を占める下ケース２３ａと、本体ケース２３の上側部分を占める上ケース２３ｂとを有しており、下ケース２３ａと上ケース２３ｂが相互に結合されている。
【００２１】
制御基板２１は、本体ケース２３の下面（底面）と平行に配置されている。制御基板２１には、電気配線８ａ、８ｂ、８ｃが接続される複数個のコネクタ２７ａ、２７ｂ、２７ｃが設けられている。光ディスク読取ユニット２２は、制御基板２１の上方に配置されている。光ディスク読取ユニット２２は、本体ケース２３の外側から光ディスクを装着して、光ディスクから記録データを読取ることができるように、その一部（光ディスクが装着されて、光ディスクを回転させるためのスピンドルモータ２２ａ、及び光ディスクに記録されている記録データを読取る光読取ヘッド２２ｂ等）が上ケース２３ｂに設けられた読取開口２３ｃに臨んでいる。
【００２２】
収納部２５は、本体ケース２３における周囲の部分より内側に窪み、本体ケース２３の外側に向けて開口しており、本体ケース２３の形状によって形成されている。収納部２５は、ヒンジユニット４の本体側結合部４２よりも大きく開口しており、本体ケース２３の上ケース２３ｂと下ケース２３ａとを結合した状態（すなわち、本体ユニット２を組み立てた状態）で、ヒンジユニット４の本体側結合部４２を本体ケース２３の外側から収納してヒンジ結合部２４に結合し得るように開口している。また、収納部２５は、ヒンジ結合部２４の配置されている位置から複数個のコネクタ２７ａ、２７ｂ、２７ｃの各々の配置されている位置に亘って連続して開口している。
【００２３】
本実施形態では、収納部２５は、本体ケース２３の上ケース２３ｂにおける周囲の部分より下側（下ケース２３ａ側）に窪み、本体ケース２３の上側に向けて開口している。また、本実施形態では、収納部２５は、本体ケース２３の上ケース２３ｂを窪ませた形状によって形成されている。
【００２４】
ヒンジ結合部２４は、収納部２５内の底の部分に設けられている。本実施形態では、ヒンジ結合部２４は、本体ケース２３の上ケース２３ｂと一体的に形成されている。上記ヒンジユニット４の本体側結合部４２は、収納部２５内に収納された状態で、ヒンジ結合部２４に結合されている。また、ヒンジユニット４の本体側結合部４２は、ヒンジ取付ネジ４９を用いて、ネジ止めによりヒンジ結合部２４に結合されている。
【００２５】
複数個のコネクタ２７ａ、２７ｂ、２７ｃは、制御基板２１におけるコネクタ２７ａ、２７ｂ、２７ｃの設けられた部分が、上ケース２３ｂに設けられた配線開口２３ｄから収納部２５側に出されていることにより、収納部２５内に配置されている。また、複数個のコネクタ２７ａ、２７ｂ、２７ｃは、それらの長手方向が同じ方向になるように配置されている。
【００２６】
表示ユニット３は、画像を表示するためのものであり、画像を表示する液晶パネル３１と、液晶パネル３１を収納する表示ケース３２等を有する。表示ケース３２は、表示ケース３２の前側部分を占める前ケース３２ａと、表示ケース３２の後側部分を占める後ケース３２ｂとを有しており、前ケース３２ａと後ケース３２ｂが相互に結合されている。液晶パネル３１は、前ケース３２ａに設けられた表示開口３２ｃに臨んでいる。表示ユニット３は、光ディスク読取ユニット２２により光ディスクから読取った記録データに基く画像を表示する。上記ヒンジユニット４の表示側結合部４１は、表示ケース３２の後ケース３２ｂの内面に設けられたヒンジ取付部（不図示）に結合されている。
【００２７】
カバー５は、収納部２５を塞ぐものである。カバー５は、本体ケース２３の上ケース２３ｂに装着されて、ヒンジユニット４の表示側結合部４１及びヒンジ機構部４３を本体ケース２３の外部に位置させた状態で、収納部２５を塞いでいる。カバー５は、カバー取付ネジ６９を用いて、ネジ止めにより本体ケース２３の上ケース２３ｂに装着されている。
【００２８】
内蓋６は、本体ユニット２の光ディスク装着領域（光ディスクが光ディスク読取ユニット２２のスピンドルモータ２２ａに装着されたときに、光ディスクが存在する領域）に対して開閉可能なように、本体ケース２３の上ケース２３ｂに回動自在に支持されている。内蓋６を閉じているときには、本体ユニット２の光ディスク装着領域及びカバー５の一部が内蓋６により覆われた状態となる。内蓋６を開くことにより、本体ユニット２の光ディスク装着領域が露呈した状態となって、本体ユニット２に対して（スピンドルモータ２２ａに対して）光ディスクを着脱することができる。
【００２９】
電池パック７は、光ディスク再生装置１に電力を供給するものである。電池パック７は、本体ユニット２（本体ケース２３の下ケース２３ａ）に対して着脱自在に構成されている。電池パック７は、２次電池を内蔵しており、本体ユニット２に装着されることにより、２次電池の電力を本体ユニット２に供給するようになっている。
【００３０】
電気配線８ａ、８ｂ、８ｃは、ヒンジユニット４の内部に通されている。電気配線８ａ、８ｂ、８ｃの一端側は、表示ユニット３内の回路基板（不図示）に接続されている。電気配線８ａ、８ｂ、８ｃの他端側は、本体ユニット２内の収納部２５内に収納された状態で、制御基板２１に設けられた複数個のコネクタ２７ａ、２７ｂ、２７ｃに接続されている。
【００３１】
次に、上記光ディスク再生装置１の組み立て方法について説明する。光ディスク再生装置１は、以下のようにして組み立てられる。
【００３２】
まず、表示ユニット３をヒンジユニット４と結合した状態に組み立てる。すなわち、ヒンジユニット４の内部に電気配線８ａ、８ｂ、８ｃを通して、表示ケース３２の前ケース３２ａと後ケース３２ｂとを分離した状態で、電気配線８ａ、８ｂ、８ｃの一端側を表示ユニット３の回路基板（不図示）に接続すると共に、ヒンジユニット４の表示側結合部４１を後ケース３２ｂの内面に設けられたヒンジ取付部（不図示）に結合し、そして、液晶パネル３１及び回路基板を収納した状態に、前ケース３２ａと後ケース３２ｂとを結合する。
【００３３】
また、本体ユニット２を組み立てる。すなわち、制御基板２１及び光ディスク読取ユニット２２を収納した状態で、本体ケース２３の上ケース２３ｂと下ケース２３ａとを結合する。
【００３４】
そして、ヒンジユニット４を本体ユニット２に結合する。すなわち、表示ユニット３に結合されたヒンジユニット４の本体側結合部４２を、組み立てられた（上ケース２３ｂと下ケース２３ａとが結合された）本体ユニット２の本体ケース２３の外側から収納部２５内に収納し、そして、ヒンジユニット４の本体側結合部４２を、ヒンジ取付ネジ４９を用いて、ネジ止めにより本体ユニット２のヒンジ結合部２４に結合する。
【００３５】
また、ヒンジユニット４の内部に通されている電気配線８ａ、８ｂ、８ｃの他端側を、制御基板２１に設けられているコネクタ２７ａ、２７ｂ、２７ｃに接続すると共に、収納部２５内に収納した状態にする。
【００３６】
続いて、カバー５を本体ユニット２に装着する。すなわち、カバー５を、カバー取付ネジ６９を用いて、ネジ止めにより本体ケース２３の上ケース２３ｂに装着する。最後に、内蓋６を本体ユニット２に装着する。これにより、光ディスク再生装置１が完成する。光ディスク再生装置１は、このようにして組み立てられる。
【００３７】
このような構成の光ディスク再生装置１によれば、本体ケース２３の上ケース２３ｂと下ケース２３ａとを結合した状態（本体ユニット２を組み立てた状態）で、ヒンジユニット４の本体側結合部４２を本体ケース２３の外側から収納部２５に収納してヒンジ結合部２４に結合することができると共に、ヒンジユニット４の内部に通された電気配線８ａ、８ｂ、８ｃを制御基板２１に接続することができる。従って、光ディスク再生装置１を組み立てるとき、本体ユニット２を組み立てた状態（本体ケース２３の上ケース２３ｂと下ケース２３ａとを結合した状態）で、ヒンジユニット４を本体ユニット２に結合することができると共に、ヒンジユニット４の内部に通された電気配線８ａ、８ｂ、８ｃを本体ユニット２に接続することができ、組み立て性を優れたものにすることができる。
【００３８】
しかも、収納部２５は、本体ケース２３における周囲の部分より下側に窪んだ部分であり、このような収納部２５に、ヒンジユニット４の本体側結合部４２及び電気配線８ａ、８ｂ、８ｃが収納された状態となるため、光ディスク再生装置１の薄型化を保つことができる。また、容易に組み立てることができ、傷や不具合の発生を抑えることができる。また、ヒンジユニット４を本体ユニット２に結合するときや電気配線８ａ、８ｂ、８ｃを本体ユニット２に接続するときに、本体ユニット２を反転させたり、傾けたりする必要がなく、専用の台や治具が不要となる。
【００３９】
また、カバー５が収納部２５を塞いでいるため、本体ユニット２のヒンジ結合部２４、ヒンジユニット４の本体側結合部４２、及び電気配線８ａ、８ｂ、８ｃをカバー５で隠すことができ、デザイン性を優れたものにすることができる。
【００４０】
また、複数個のコネクタ２７ａ、２７ｂ、２７ｃは、それらの長手方向が同じ方向になるように配置されているため、収納部２５の大きさを小さくすることができるので、本体ケース２３の強度を強くすることができる。また、収納部２５の大きさを小さくすることができることにより、カバー５を小さくすることができ、デザイン性をより優れたものにすることができる。
【００４１】
なお、本発明は、上記実施形態の構成に限られず、種々の変形が可能である。例えば、本体ユニットのヒンジ結合部は、本体ケースの上ケースと一体的に形成した構成に限られず、本体ケースと別体に形成したものを本体ケースの上ケースに取付けた構成であってもよい。また、本体ユニットの収納部は、本体ケースの上ケースを窪ませた形状によって形成した構成に限られず、本体ケース内の空間と本体ケースの上ケースに設けた開口とによって形成した構成であってもよい。この場合、本体ユニットのヒンジ結合部は、本体ケースの下ケースの内面に設ければよく、本体ケースの下ケースと一体的に形成した構成であってもよく、また、本体ケースと別体に形成したものを本体ケースの下ケースに取付けた構成であってもよい。
【符号の説明】
【００４２】
１    光ディスク再生装置（電子機器装置）
２    本体ユニット
３    表示ユニット
４    ヒンジユニット
５    カバー
６    内蓋
７    電池パック
８ａ、８ｂ、８ｃ    電気配線
２１    制御基板
２２    光ディスク読取ユニット
２２ａ    スピンドルモータ
２２ｂ    光読取ヘッド
２３    本体ケース
２３ａ    下ケース
２３ｂ    上ケース
２３ｃ    読取開口
２３ｄ    配線開口
２４    ヒンジ結合部
２５    収納部
２７ａ、２７ｂ、２７ｃ    コネクタ
３１    液晶パネル
３２    表示ケース
３２ａ    前ケース
３２ｂ    後ケース
３２ｃ    表示開口
２３ｄ    配線開口
４１    表示側結合部
４２    本体側結合部
４３    ヒンジ機構部
４９    ヒンジ取付ネジ
６９    カバー取付ネジ
【図１】
2011170809.tif 000003
【図２】
2011170809.tif 000004